【手続補正書】
【提出日】平成21年12月15日(2009.12.15)
【手続補正１】
【補正対象書類名】特許請求の範囲
【補正対象項目名】全文
【補正方法】変更
【補正の内容】
【特許請求の範囲】
【請求項１】
平面振動板端面全周を囲い込むように装着された吸音性可とう膜を、この可とう膜を全面で、駆動コイル側すなわち裏面から覆うようにしてスピーカのフレームに装着し、動作時に振動板の表裏面から発する互いに逆相の音が干渉しないように遮断するようにした平面スピーカにおいて、振動板端面全周に装着された吸音性可とう膜の一部又は全部を、この可とう膜と同様な吸音性可とう膜で、振動板の駆動コイルのある面と逆の面すなわち表面から覆うようにしてスピーカのフレームに装着し、これらスピーカのフレームに装着した二組の吸音性可とう膜だけで振動板端面に装着した吸音性可とう膜を表裏から挟持することによって振動板を支持してなる平面スピーカ。
【手続補正２】
【補正対象書類名】明細書
【補正対象項目名】全文
【補正方法】変更
【補正の内容】
【発明の詳細な説明】
【発明の名称】平面スピーカ
【技術分野】
【０００１】  忠実再生を意図するオーディオ・システムのスピーカでは、一般的に、再生音の音域によって区別された2個ないし３個あるいはそれ以上のスピーカが複合的に用いられているが、本発明はキャビネットに単一のスピーカが装着されたスピーカによって忠実再生を実現しようとする技術分野に関するものである。
【背景技術】
【０００２】  下記の文献では、忠実再生を意図するオーディオ・システムのスピーカで単一のスピーカによって実現するために平面スピーカを提案し、その振動板支持方法をスピーカ振動板の支持構造として提案し、またスピーカの取付方法をスピーカの取付構造として提案し、これらの提案の組み合わせでほぼその目的を達成した。【０００３】  しかし、楽器や肉声による生演奏の音の立ち上がりや音量を含めての更なる忠実再生を意図するときは、平面スピーカが振動される時に発生する電気信号による音以外の音を発する可能性を更に排除する必要のあることが明らかになった。【特許文献１】特開平8−84395（特許第2835696号）平面スピーカ
【特許文献２】特開平9−312895（特許第3148971号）スピーカ振動板の支持構造
【特許文献３】特開平10−234092（特許第3278775号）スピーカの取付構造
【発明の開示】
【発明が解決しようとする課題】
【０００４】  特許文献1に記載の平面スピーカの平面振動板（本明細書では略して振動板という）では、その振動板が板ばねによって支持されていて、特許文献2によるスピーカ振動板の支持構造によっても、なお板ばね自らが振動源となり、電気信号による音以外の音が振動板を通して発する。この電気信号による音以外の音を排除することが、忠実再生を意図するオーディオ・システムを単一の平面スピーカによって実現するための課題である。【０００５】  特許文献3によるスピーカの取付構造では、スピーカが取付けられている取付板を、吸音材を介してキャビネットに取付けることによって、スピーカの機械的振動がキャビネットへ伝達してキャビネットが発音体となることを防止しようとしたが不十分であった。また、取付板がスピーカの機械的振動の伝達によって自らが発音体となる可能性を否定することができなかった。ここでスピーカの機械的振動を如何にして処理するかが、忠実再生を意図するオーディオ・システムのスピーカを単一の平面スピーカによって実現するための課題である。
【課題を解決するための手段】
【０００６】  本発明では、平面スピーカ全体が振動板の電気振動による振動の際に受ける反作用を極限的に小さくし、平面スピーカの機械的振動がキャビネットに伝達しないようにするために、平面スピーカにおいて、振動板を支持するのに特許文献1及び2による板ばねを使用しないで、振動板端面に装着した吸音可とう性膜で振動板を支持する構造を提供することを上記課題を解決するための手段とした。
【発明の効果】
【０００７】  本発明によって、振動板は吸音性可とう膜のもつ若干の反発性と可とう性膜が互いに接触してのわずかの摩擦による以外に振動方向には何らの拘束を受けることなく、また、ばねなどの弾性体による振動板の振動を排除することによって、駆動コイルに流れる特に過渡的な入力音声信号に対しても忠実な振動音を発生することができ、より忠実度の高い再生を意図するオーディオ・システムの平面スピーカが得られた。【０００８】  本発明によって、平面スピーカは、振動系の構造要素に原因となる振動板を支えるためのばねを排除したことによって、スピーカとしての最低基本周波数を持たず、楽音として知られている16Hｚを含め周波数の低い低音の忠実再生が可能になった。
【発明を実施するための最良の形態】
【０００９】  図1から図6の実施例によって詳細に説明するが、平面スピーカの振動板端面に振動板とほぼ同一厚さであり、かつ振動板と同一平面で振動板端面を囲い込むように振動板全面に装着された吸音性可とう膜と、この吸音性可とう膜と同様な吸音性可とう膜で振動板端面に装着された吸音性可とう膜を駆動コイル側（裏面側）から全面で覆うようにスピーカのフレームに装着されて、動作時に振動板の表裏面から発する互いに逆位相の振動音が干渉しないようにした平面スピーカにおいて、振動板端面全周に装着された吸音性可とう膜の一部又は全部を、この可とう膜と同様な吸音性可とう膜が振動板の駆動コイルのある面の逆の面（裏面側）から覆うようにしてスピーカのフレームに装着されて、この平面スピーカのフレームに装着された二組の吸音性可とう膜で振動板端面に装着された吸音性可とう膜を挟持することによって振動板を支持してなる平面スピーカが本発明を実施するための最良の形態である。
【実施例１】
【００１０】  本発明を実施するための最良の形態の項に記述したほぼその順にしたがって実施例の詳細を示す。図1は平面スピーカの振動板の支持構造を示すための部分拡大図で、図2のA矢視の断面を示す。なお、図2は平面スピーカの裏面図であり、図3はその側面図である。【００１１】  図1において、振動板6に装着された巻枠2の両面に巻かれた駆動コイル1は、磁石4のN極S極の両面を挟んで固定されている2個の継鉄5が磁気回路支持構造体3にねじで固定され、スピーカのフレーム8にねじで固定されて形成した磁気回路の中央に、振動板6の端面全周に装着された吸音性可とう膜9bがスピーカのフレーム8に装着された2枚の吸音性可とう膜9aと9cに挟持されることによって、自らの位置を確保している。なお本実施例においては、振動板6の端面全周に装着された吸音性可とう膜9ｂとスピーカのフレーム8との密接性を確保するためと2枚の吸音性可とう膜９a,9cとの間隔を確保するためのスペーサ10がスピーカのフレーム8の全周に装着されている。【００１２】  図2は平面スピーカの磁気回路側（裏面）からの平面図であり、図3はその側面図であり、図4は図2を裏から見た平面図（正面）であり、図5は平面スピーカから取り出した振動板組み立て図で、図6はその側面図である。これらの図によって図1で表記できていない部分について説明する。【００１３】  図5と図6によって振動板組み立てについて説明する。駆動コイル1はコイル巻枠2の内外両面に矩形状に巻かれている。コイル巻枠2は矩形の四隅と中央に駆動コイル1に発生する駆動力を振動板6全体に可能な限り均一に伝えるための補強リブ2aと一体構造になっている。振動板6は駆動コイル1による駆動時に矩形という形状による端部歪を避けるために四隅は４分円になっていて、その全周の端面に振動板とほぼ同一厚さの吸音性可とう膜9bが同一平面で装着されている。【００１４】  図2において、吸音性可とう膜9aは、図5に示す振動板組み立ての振動板6の端面全周に装着された吸音性可とう膜9bの全面に重なるようにスピーカのフレーム8に装着されている。図2と図3において、11、12は駆動コイル1の終端と端子台7を接続する可とう性を有するリード線で、端子台7にスピーカの入力信号機（図示略）が接続される。磁石4と継鉄5は形成した磁気回路の中央に駆動コイル1の矩形長辺の大部分があるような位置で磁気回路支持構造体3にねじ止めされて固定されていて、その磁気回路支持構造体3はフレーム8にねじ止め固定されている。【００１５】  図4において、8は６個の取付孔13を持つ平面スピーカのフレームである。振動板6の全周に装着された吸音性可とう膜9ｂはスピーカのフレーム8の全周に装着されたスぺーサ10と全周において密接性を保っている。吸音性可とう膜9ｃは、本実施例においては振動板6の外周の直線部の位置でスピーカのフレーム8に装着されていて、図2の9aで示す吸音性可とう膜と共に振動板6の吸音性可とう膜9ｂを挟持し、駆動コイルへの大入力による大振幅時にも図5及び図6に示す振動板組み立てを振動方向に正常な位置を保つ。
【図面の簡単な説明】
【００１６】
【図１】平面スピーカの部分断面拡大図
【図２】平面スピーカの裏面図
【図３】図5の側面図
【図４】平面スピーカの表面図
【図５】振動板組み立て裏面図
【図６】図5の側面図
【符号の説明】
【００１７】1          駆動コイル  2          巻枠2a          補強リブ3          磁気回路支持体4          磁石5          継鉄6          振動板7          端子台8          スピーカのフレーム9a,9b,9c    吸音性可とう膜10          スぺーサ11          リード線12          リード線13          取付孔